(57)【要約】  衛星（２）を介した通信回線（２２）でルーティングを行なう衛星通信システムにおいて、地球局（３）が衛星通信システムへ参入する際に、管制局（１）が管理する地球局（３）のネットワークアドレスを、衛星を介した制御回線（２１）を用いて、管制局（１）から地球局（３）へ通知する。その後に、地球局（３）が衛星（２）を介した通信回線（２２）を確立することができる。
2019171825.tif 000002
【特許請求の範囲】
【請求項１】
衛星を介した通信回線で地球局の間のルーティングを行なう衛星通信システムにおける、前記地球局のネットワークアドレスを管理する管制局を用いたネットワークアドレス指定方法であって、
前記衛星を介した制御回線を用いて、一の前記地球局から前記管制局へ前記衛星通信システムへの第１の参入メッセージを送信する第１の参入メッセージ送信ステップと、
前記第１の参入メッセージを受けて前記管制局が管理する一の前記地球局のネットワークアドレスを第１のネットワークアドレスとして、前記制御回線を用いて、前記管制局から一の前記地球局へ通知する第１のネットワークアドレス通知ステップと、
前記制御回線を用いて、二の前記地球局から前記管制局へ前記衛星通信システムへの第２の参入メッセージを送信する第２の参入メッセージ送信ステップと、
前記第２の参入メッセージを受けて前記管制局が管理する二の前記地球局のネットワークアドレスを第２のネットワークアドレスとして、前記制御回線を用いて、前記管制局から二の前記地球局へ通知する第２のネットワークアドレス通知ステップとを備えことを特徴とする、ネットワークアドレス指定方法。
【請求項２】
前記第１のネットワークアドレス通知ステップ及び前記第２のネットワークアドレス通知ステップの少なくとも一方の後に、前記地球局が前記通信回線を確立する通信回線確立ステップをさらに備え、
前記第１のネットワークアドレス通知ステップは、前記第１のネットワークアドレスに加えて、少なくとも前記第２のネットワークアドレスを一の前記地球局へ通知し、
前記第２のネットワークアドレス通知ステップは、前記第２のネットワークアドレスに加えて、少なくとも前記第１のネットワークアドレスを二の前記地球局へ通知し、
前記通信回線確立ステップは、一の前記地球局と二の前記地球局との間で通信回線を確立するものであることを特徴とする、請求項１に記載のネットワークアドレス指定方法。
【請求項３】
前記第１のネットワークアドレス通知ステップは、全ての前記地球局のネットワークアドレスを一の前記地球局へ通知するものであることを特徴とする、請求項１に記載のネットワークアドレス指定方法。
【請求項４】
前記第２のネットワークアドレス通知ステップは、全ての前記地球局のネットワークアドレスを二の前記地球局へ通知するものであることを特徴とする、請求項１又は請求項３に記載のネットワークアドレス指定方法。
【請求項５】
前記第１のネットワークアドレス通知ステップ及び前記第２のネットワークアドレス通知ステップの少なくとも一方の後に、前記地球局が前記通信回線を確立する通信回線確立ステップをさらに備え、
前記通信回線確立ステップは、前記管制局をＨＵＢ局をとして、一の前記地球局と二の前記地球局との間で通信回線を確立するものであることを特徴とする、請求項１に記載のネットワークアドレス指定方法。
【請求項６】
ネットワークアドレス更新ステップをさらに備え、
前記ネットワークアドレス更新ステップは、前記第１のネットワークアドレス通知ステップの後に一の前記地球局へ通知したネットワークアドレスが更新されたときに、少なくとも更新された部分を、一の前記地球局へ通知することを特徴とする、請求項１から請求項５のいずれか１項に記載のネットワークアドレス指定方法。
【請求項７】
ネットワークアドレス更新ステップをさらに備え、
前記ネットワークアドレス更新ステップは、前記第２のネットワークアドレス通知ステップの後に二の前記地球局へ通知したネットワークアドレスが更新されたときに、少なくとも更新された部分を、二の前記地球局へ通知することを特徴とする、請求項１から請求項５のいずれか１項に記載のネットワークアドレス指定方法。
【請求項８】
ネットワークアドレスの通知を受けた後に、衛星を介した通信回線で地球局の間のルーティングを行なう衛星通信システムにおける、前記地球局のネットワークアドレスを管理する管制局であって、
前記地球局ごとのネットワークアドレスを保持したネットワークアドレス管理部と、
前記衛星を介した制御回線を用いて、前記地球局から送られた前記衛星通信システムへの参入メッセージを受けて、前記地球局ごとに前記ネットワークアドレス管理部に記憶されているネットワークアドレスを、前記制御回線を用いて、前記地球局へ通知する管制局制御部とを備えたことを特徴とする、管制局。
【請求項９】
前記管制局制御部は、前記参入メッセージを送信した前記地球局のネットワークアドレスと、前記参入メッセージを送信した前記地球局以外の前記地球局のネットワークアドレスとを、前記参入メッセージを送信した前記地球局へ通知することを特徴とする、請求項８に記載の管制局。
【請求項１０】
前記管制局制御部は、全ての前記地球局のネットワークアドレスを、前記参入メッセージを送信した前記地球局へ通知することを特徴とする、請求項８に記載の管制局。
【請求項１１】
前記管制局制御部は、前記地球局へ通知したネットワークアドレスが更新されたときに、少なくとも更新された部分を、前記地球局へ通知することを特徴とする請求項８から請求項１０のいずれか１項に記載の管制局。
【請求項１２】
前記管制局制御部は、前記地球局へ通知したネットワークアドレスが更新されたときに、少なくとも更新された部分を、前記地球局のうち、前記通信回線によるデータの送受信を行っているもの以外へ、通知することを特徴とすることを特徴とする、請求項８から請求項１０のいずれか１項に記載の管制局。
【請求項１３】
前記管制局制御部は、前記地球局へ通知したネットワークアドレスが更新されたときに、少なくとも更新された部分を、前記通信回線によるデータの送受信を行っている前記地球局にデータの送受信を停止させてから、通知することを特徴とする、請求項８から請求項１０のいずれか１項に記載の管制局。
【請求項１４】
管制局通信部をさらに備え、前記管制局通信部は、ネットワークアドレスを通知した前記地球局が前記通信回線で送受信をするデータのルーティングを行うことを特徴とする請求項８に記載の管制局。
【請求項１５】
前記衛星通信システムがＤＡＭＡ方式のシステムであって、
前記管制局制御部は、前記制御回線を介して、前記地球局から前記衛星通信システムの回線割当の要求を受けて、割り当てを行った前記通信回線を、前記制御回線を介して、前記地球局へ通知することを特徴とする、請求項１４に記載の管制局。
【請求項１６】
前記管制局制御部は、前記地球局へ割り当てた前記通信回線が切断したとき又は当該通信回線による通信が不安定あるいは不通になったあと、前記制御回線を用いて、前記地球局から送られた前記衛星通信システムへの再参入メッセージを受けて、前記地球局ごとに前記ネットワークアドレス管理部に記憶されているネットワークアドレスを、前記制御回線を用いて、再度、前記地球局へ通知することを特徴とする、請求項１５に記載の管制局。
【請求項１７】
衛星を介した通信回線でルーティングを行なう衛星通信システムにおける地球局であって、管制局から通知されたネットワークアドレスを記憶するネットワークアドレス記憶部と、
前記衛星を介した制御回線を用いて、前記管制局へ前記衛星通信システムへの参入メッセージを送信し、前記管制局から少なくとも自局のネットワークアドレスの通知を受ける地球局制御部と、
前記管制局から通知されたネットワークアドレスを保持するネットワークアドレス記憶部と、前記管制局から通知されたネットワークアドレスを用いて前記通信回線を確立してデータの送受信をする地球局通信部とを備えたことを特徴とする、地球局。
【請求項１８】
前記地球局制御部は、自局以外の他の地球局のネットワークアドレスの通知を受けることを特徴とする、請求項１７に記載の地球局。
【請求項１９】
前記地球局制御部は、自局以外の全ての他の地球局のネットワークアドレスの通知を受けることを特徴とする、請求項１７に記載の地球局。
【請求項２０】
前記地球局通信部は、前記管制局であるＨＵＢ局を介して、他の地球局とデータの送受信をすることを特徴とする、請求項１７に記載の地球局。
【請求項２１】
前記地球局通信部は、前記ネットワークアドレス記憶部に記憶されたネットワークアドレスが更新されたとき、追加されたネットワークアドレスのルーティングを追加し、削除されたネットワークアドレスのルーティングを停止することを特徴とする、請求項１７から請求項２０のいずれか１項に記載の地球局。
【請求項２２】
前記衛星通信システムがＤＡＭＡ方式のシステムであって、
前記地球局制御部は、前記制御回線を介して、前記管制局へ前記衛星通信システムの回線割当を要求し、前記制御回線を介して、前記管制局から割り当てた前記通信回線の通知を受け、前記地球局通信部は、前記管制局から割り当てられた前記通信回線によりデータの送受信をすることを特徴とする、請求項１７から請求項２１のいずれか１項に記載の地球局。
【請求項２３】
前記地球局制御部は、前記管制局から割り当てられた前記通信回線が切断したとき又は当該通信回線による通信が不安定あるいは不通になったあと、前記制御回線を用いて、前記管制局へ前記衛星通信システムへの再参入メッセージを送信し、再度、前記管制局から少なくとも自局のネットワークアドレスの通知を受け、前記地球局通信部は、再度、前記管制局から通知されたネットワークアドレスを用いて前記通信回線を確立してデータの送受信をすることを特徴とする、請求項２２に記載の地球局。
【発明の詳細な説明】
【技術分野】
【０００１】
この発明は、衛星を介した通信回線でルーティングを行なう衛星通信システムにおけるネットワークアドレス指定方法、管制局及び地球局に関するものである。
【背景技術】
【０００２】
従来から複数の地球局が衛星を介して、データ通信（ＩＰ通信）を実施する衛星通信システムには、ＤＡＭＡ（Ｄｅｍａｎｄ  Ａｓｓｉｇｎｍｅｎｔ  Ｍｕｌｔｉｐｌｅ  Ａｃｃｅｓｓ：要求時割当多元接続）方式のシステムがある（例えば、特許文献１及び２参照）。ＤＡＭＡ方式のシステムにおいては、地球局（子局）内のネットワークアドレスを指定又は変更が必要な場合がある。これは、衛星通信システムのネットワークのセキュリティポリシーなどにより、ＩＰアドレスなどのネットワークの変更ができない端末を地球局（子局）内に設置する場合のルーティングに対応するためである。【０００３】
特許文献２に開示される管制局と地球局（子局）は、ＩＰプロトコルベースのＤＡＭＡ方式のシステムにおいて、地球局（子局）内に設置された端末のＩＰアドレスを、管制局と複数の地球局にて管理し、端末へＩＰアドレスを割り当てるものである。多くのネットワークでは特許文献１に開示されるように、地球局（子局）内の端末がネットワークに合わせたＩＰアドレスをＤＨＣＰ（Ｄｙｎａｍｉｃ  Ｈｏｓｔ  Ｃｏｎｆｉｇｕｒａｔｉｏｎ  Ｐｒｏｔｏｃｏｌ）などの手段により取得し、ＩＰ通信を行うが、端末側のＩＰアドレスが固定であり、ネットワーク側を可変となることを求められるシステムにおいては、ネットワーク管理の手段が複雑となる場合もある。【０００４】
従来のＩＰルーティングを行うＤＡＭＡ方式のシステムにおいては、地球局（子局）内ネットワークアドレス（サブネットワーク構成）は、予めスタティックに設定されており、ユーザが子局内で接続する通信端末設定（ＩＰアドレス、デフォルトゲートウェイアドレスなど）を、地球局（子局）内のネットワークアドレスに合わせて設定変更した上で接続・通信を行っていた。また、衛星通信システムには、スター型通信（スター型ネットワーク構成）やメッシュ型通信（メッシュ型ネットワーク構成）が使用されることがある（例えば、特許文献３参照）。
【先行技術文献】
【特許文献】
【０００５】
【特許文献１】特開２００７−２０８６３０号公報
【特許文献２】特開２０１３−５２２１号公報
【特許文献３】特開平９−１８６６４０号公報
【発明の概要】
【発明が解決しようとする課題】
【０００６】
しかし、従来のＩＰルーティングを行うＤＡＭＡ方式のシステムでは、ユーザの端末によってはセキュリティポリシーなどにより、ＩＰアドレスなどのネットワーク設定を変更できない場合に対応が困難であるという課題があった。【０００７】
従来のＩＰルーティングを行うＤＡＭＡ方式のシステムおいて、ある子局のネットワーク設定を変更する場合、管制局及び各子局の設定を変更することで、子局内のネットワークアドレス、すなわち衛星通信システムのネットワーク構成を変更することがある程度は可能である。しかし、ネットワーク構成の変更箇所が複数個所に渡る場合は、変更が難しいか、変更に時間がかかるという課題があった。また、ネットワーク構成の変更ができる場合でも、通信を行う全ての子局の設備の変更が必要で、設定変更のための運用停止が必要となる上に、管理が煩雑であるという課題があった。さらに、従来は、通信端末がＩＰアドレスの設定を保持したまま、子局Ａから子局Ｂへ移動するときに、子局Ａ、子局Ｂのみならず、子局Ａ、子局Ｂと通信が必要な全ての子局に対して、設定をそれぞれ変更する必要があるという課題があった。【０００８】
この発明は、上記のような課題を解消するためになされたもので、管制局側でネットワークアドレスを管理することができるネットワークアドレス指定方法、管制局及び地球局に関するものである。
【課題を解決するための手段】
【０００９】
この発明に係るネットワークアドレス指定方法は、衛星を介した通信回線で地球局の間のルーティングを行なう衛星通信システムにおける、前記地球局のネットワークアドレスを管理する管制局を用いたネットワークアドレス指定方法であって、前記衛星を介した制御回線を用いて、一の前記地球局から前記管制局へ前記衛星通信システムへの第１の参入メッセージを送信する第１の参入メッセージ送信ステップと、前記第１の参入メッセージを受けて前記管制局が管理する一の前記地球局のネットワークアドレスを第１のネットワークアドレスとして、前記制御回線を用いて、前記管制局から一の前記地球局へ通知する第１のネットワークアドレス通知ステップと、前記制御回線を用いて、二の前記地球局から前記管制局へ前記衛星通信システムへの第２の参入メッセージを送信する第２の参入メッセージ送信ステップと、前記第２の参入メッセージを受けて前記管制局が管理する二の前記地球局のネットワークアドレスを第２のネットワークアドレスとして、前記制御回線を用いて、前記管制局から二の前記地球局へ通知する第２のネットワークアドレス通知ステップとを備えたことを特徴とするものである。【００１０】
この発明に係る管制局は、ネットワークアドレスの通知を受けた後に、衛星を介した通信回線で地球局の間のルーティングを行なう衛星通信システムにおける、前記地球局のネットワークアドレスを管理する管制局であって、前記地球局ごとのネットワークアドレスを保持したネットワークアドレス管理部と、前記衛星を介した制御回線を用いて、前記地球局から送られた前記衛星通信システムへの参入メッセージを受けて、前記地球局ごとに前記ネットワークアドレス管理部に記憶されているネットワークアドレスを、前記制御回線を用いて、前記地球局へ通知する管制局制御部とを備えたことを特徴とするものである。【００１１】
この発明に係る地球局は、衛星を介した通信回線でルーティングを行なう衛星通信システムにおける地球局であって、前記管制局から通知されたネットワークアドレスを記憶するネットワークアドレス記憶部と、前記衛星を介した制御回線を用いて、前記管制局へ前記衛星通信システムへの参入メッセージを送信し、前記管制局から少なくとも自局のネットワークアドレスの通知を受ける地球局制御部と、前記管制局から通知されたネットワークアドレスを保持するネットワークアドレス記憶部と、前記管制局から通知されたネットワークアドレスを用いた前記通信回線を確立してデータの送受信をする地球局通信部とを備えたことを特徴とするものである。
【発明の効果】
【００１２】
以上のように、この発明によれば、管制局が主体となってネットワークアドレスの設定変更を行うことができるネットワークアドレス指定方法、管制局及び地球局を得ることができる。
【図面の簡単な説明】
【００１３】
【図１】この発明の実施の形態１に係る通信システムの機能ブロック図である。
【図２】この発明の実施の形態１に係る通信システムに使用するネットワークアドレスの例示テーブルである。
【図３】この発明の実施の形態１に係る通信システムのシーケンス例の図である。
【図４】この発明の実施の形態１に係る通信システムのシーケンス例の図である。
【図５】この発明の実施の形態２に係る通信システムの機能ブロック図である。
【図６】この発明の実施の形態２に係る通信システムのシーケンス例の図である。
【図７】この発明の実施の形態１から３に係る通信システムの機能ブロック図である。
【図８】この発明の実施の形態１から３に係る通信システムの機能ブロック図である。
【発明を実施するための形態】
【００１４】
実施の形態１．
以下、この発明の実施の形態１に係る通信システム、通信方法、ネットワークアドレス指定方法、管制局及び地球局について図１から図４を用いて説明する。図中、同一符号は、同一又は相当部分を示しそれらについての詳細な説明は省略する。図１から図４において、管制局１，地球局３０１（子局３０１），地球局３０２（子局３０２），通信端末４０１（ＩＰ端末４０１），通信端末４０２（ＩＰ端末４０２）は、衛星２を介したＩＰプロトコルベースのＤＡＭＡ方式の衛星通信システムを構築するものである。ネットワークアドレステーブル５０１，ネットワークアドレステーブル５０２は、それぞれ地球局３０１（子局３０１），地球局３０２（子局３０２）のネットワークアドレスのテーブルである。実施の形態１に係る通信システム（通信方法）は、地球局３０１及び地球局３０２は制御回線２１を経由した管制局１からの指示にて通信回線２２を確立し、通信回線２２上にて双方向データ通信を実現するものである。
【００１５】
図１において、管制局１は、衛星通信システムの管制する親局であって、特に、ＩＰプロトコルベースのＤＡＭＡ方式の衛星通信システムに好適なものである。詳しくは、管制局１はＤＡＭＡ方式の衛星通信システムの制御を行うものである。衛星２は、ＤＡＭＡ方式の衛星通信システムの衛星局である。管制局１は、ネットワークアドレスの通知を受けた後に、衛星２を介した通信回線で地球局３の間のルーティングを行なう衛星通信システムにおける、地球局３のネットワークアドレスを管理するものである。地球局３は、衛星通信システムを使った通信回線を利用してＩＰプロトコルベースの通信を行なう子局である。この子局３は、ＤＡＭＡ方式の衛星通信システムを使ってＩＰデータ通信を行なうものである。つまり、管制局１と同じく、ＩＰプロトコルベースのＤＡＭＡ方式の衛星通信システムに好適なものである。地球局３は、衛星２を介した通信回線でルーティングを行なう衛星通信システムにおける複数の「地球局３０１、地球局３０２、・・、地球局３０ｎ」である。ｎは、正の整数である。図１では、地球局３が、地球局３０１及び地球局３０２の二施設の場合を例示的に図示している。
【００１６】
ＤＡＭＡ方式は、通信回線を複数の地球局３（子局３）により有効に利用することができる。ＤＡＭＡ方式では、適宜、地球局間または地球局／管制局間での通信に使用する通信回線を割り当てるために、通信回線とは異なる制御回線により、地球局は通信回線の割り当て要求を管制局へ発する。通信回線とは異なる制御回線は、通信回線の割り当て要求する回線のため、ＣＳＣ回線ともいわれる。ＣＳＣは、Ｃｏｍｍｏｎ  Ｓｉｇｎａｌｉｎｇ  Ｃｈａｎｎｅｌを意味している。管制局は、例えば、特許文献１に開示されているように、地球局から発された回線割当要求を受信し、通信回線を割り当てる。ＤＡＭＡ方式の衛星通信システムや通信方法では、管制局の機能として、地球局の通信状態、衛星回線の使用状況を管理し、地球局の要求に応じて、適切な回線割り当てを行う機能と、回線割り当ての結果の地球局への通知を行うための通信機能が構築されている。
【００１７】
図１において、管制局１は、ネットワークアドレス管理部１１，管制局制御部１２，ＤＡＭＡ制御部１３，制御回線用モデム１４を有している。ネットワークアドレス管理部１１（ＮＷアドレス管理部１１）は、地球局３（地球局３０１、地球局３０２、・・、地球局３０ｎ）ごとのネットワークアドレス（例えば、図２参照）を記憶及び管理しているものである。制御回線２１は、衛星２を経由して管制局１から地球局３（地球局３０１、地球局３０２、・・、地球局３０ｎ）の監視や回線割当などの回線制御を行うための制御回線（ＣＳＣ回線）である。図１では、制御回線２１（ＣＳＣ回線２１）は矢印付きの実線で仮想的に示している。
【００１８】
図１において、管制局制御部１２（親局制御部１２，制御部１２）は、衛星２を介した制御回線２１を用いて、地球局３から送られた衛星通信システムへの参入メッセージを受けるものである。管制局制御部１２（親局制御部１２，制御部１２）は、参入メッセージを受け、地球局３（地球局３０１、地球局３０２、・・、地球局３０ｎ）ごとにネットワークアドレス管理部１１に保持されているネットワークアドレスを、制御回線２１を用いて、少なくとも参入メッセージを送った地球局３へ通知するものである。管制局制御部１２（親局制御部１２，制御部１２）は、衛星２への送受信設備ともいえる。衛星２への送受信設備は、管制局アンテナ部や管制局アンテナ部を駆動する管制局アンテナ駆動部を含めてもよいし、管制局アンテナ部及び管制局アンテナ駆動部を送受信設備としてもよい。
【００１９】
図１において、ＤＡＭＡ制御部１３は、ＤＡＭＡ方式の制御データを処理するものである。ＤＡＭＡ方式の制御データは、制御回線２１を介して管制局１と地球局３との間でやり取りする。制御回線用モデム１４は、管制局アンテナ部に接続され、ＤＡＭＡ方式の制御データの衛星２への送受信を行うものである。通信回線２２は、衛星２を経由して地球局３（地球局３０１、地球局３０２、・・、地球局３０ｎ）間で通信を行うための衛星回線であり、制御回線２１を介して、地球局３（地球局３０１、地球局３０２、・・、地球局３０ｎ）ごとに割り当てられる。図１では、通信回線２２（衛星回線２２）は矢印付きの破線で仮想的に示している。地球局３（地球局３０１、地球局３０２、・・、地球局３０ｎ）間で、ＩＰデータ通信を行う場合は通信回線２２を介して通信を行う。
【００２０】
図１において、地球局３（地球局３０１、地球局３０２、・・、地球局３０ｎ）は、それぞれ、ネットワークアドレス記憶部３１，地球局制御部３２，地球局通信部３３（子局通信部３３，通信部３３），通信用モデム３４，衛星ＧＷ３５，通信端末４を有している。通信端末４は、地球局３の外部に設けてもよい。ネットワークアドレス記憶部３１（ＮＷアドレス記憶部３１）は、管制局１から通知されたネットワークアドレスを記憶するものである。地球局制御部３２（子局制御部３２，制御部３２）は、衛星２を介した制御回線２１を用いて、管制局１へ衛星通信システムへの参入メッセージを送信し、管制局１から少なくとも自局のネットワークアドレスの通知を受けるものである。
【００２１】
図１において、地球局通信部３３（子局通信部３３，通信部３３）は、管制局１から通知されたネットワークアドレスを用いた通信回線を確立してデータの送受信（ＩＰデータ通信）をするものである。地球局通信部３３（子局通信部３３，通信部３３）は、衛星２への送受信設備ともいえる。衛星２への送受信設備は、地球局アンテナ部や地球局アンテナ部を駆動する地球局アンテナ駆動部を含めてもよいし、地球局アンテナ部及び地球局アンテナ駆動部を送受信設備としてもよい。通信用モデム３４（地球局通信用モデム３４，子局通信用モデム３４）は、地球局アンテナ部に接続され、地球局３間でデータ送受信を行うものである。衛星ＧＷ３５（地球局衛星ＧＷ３５，子局衛星ＧＷ３５）は、通信回線２２（衛星回線２２）へのゲートウェイとして機能するものである。
【００２２】
図１において、通信端末４は、衛星ＧＷ３５に接続され、通信回線２２を使ったＩＰ通信が可能な端末である。通信端末４が、通信回線２２を使ったＩＰ通信を行う場合、衛星ＧＷ３５が通信端末４のゲートウェイとなり、地球局通信部３３（子局通信部３３，通信部３３）を介して衛星通信の対向局（他の地球局３、又は、管制局１）へＩＰデータを送信する。通信端末４（ＩＰ端末４）は、複数の「地球局３０１、地球局３０２、・・、地球局３０ｎ」ごとに少なくとも一台ずつ設けられている。つまり、通信端末４は「通信端末４０１、通信端末４０２、・・、通信端末４０ｎ」といえる。ｎは、地球局３の場合と同じく、正の整数である。図１では、通信端末４は、通信端末４０１及び通信端末４０２の二台の場合を例示的に図示している。
【００２３】
図２は、ネットワークアドレス管理部１１に登録されているネットワークアドレス５を模式的に表現したものである。ネットワークアドレス５は「ネットワークアドレステーブル５０１、ネットワークアドレステーブル５０２、・・、ネットワークアドレステーブル５０ｎ」として図示している。ｎは、正の整数である。ネットワークアドレステーブル５０１，ネットワークアドレステーブル５０２・・ネットワークアドレステーブル５０ｎは、それぞれ地球局３０１（子局３０１），地球局３０２（子局３０２）・・地球局３０ｎ（子局３０ｎ）のネットワークアドレスのテーブルである。つまり、ネットワークアドレステーブル５とは、地球局３ごとに管理（記憶）するネットワークアドレスのテーブルである。ネットワークアドレステーブル５は地球局３ごとに少なくとも一つ以上のネットワークアドレスから構成されている。地球局３は、少なくとも自局のネットワークアドレステーブルを管制局１から通知を受けて管理（記憶）することで、地球局３は通信回線２２へのゲートウェイとなることができる。
【００２４】
実施の形態１に係る衛星通信システムのネットワークアドレス指定の動作を説明する。つまり、実施の形態１に係るネットワークアドレス指定方法を説明する。これは、衛星２を介した通信回線２２で地球局３の間のルーティングを行なう衛星通信システムにおける、地球局３のネットワークアドレスを管理する管制局１を用いたものである。
【００２５】
実施の形態１に係るネットワークアドレス指定方法は、制御回線２１を用いて、地球局３０１から管制局１へ衛星通信システムへの第１の参入メッセージを送信する（第１の参入メッセージ送信ステップ）。詳しくは、地球局３０１の地球局制御部３２が、制御回線２１を用いて、管制局１へ衛星通信システムへの参入メッセージを送信する。第１の参入メッセージを受けて管制局１が管理する地球局３０１のネットワークアドレスを第１のネットワークアドレスとして、制御回線２１を用いて、管制局１から地球局３０１へ通知する（第１のネットワークアドレス通知ステップ）。第１のネットワークアドレスの通知は、管制局１から地球局３０１へ第１の参入応答メッセージとして「地球局３のネットワークアドレス」を送信することになる。詳しくは、管制局制御部１２が、制御回線２１を用いて、地球局３０１から送られた衛星通信システムへの参入メッセージを受けて、地球局３ごとにネットワークアドレス管理部１１に保持されているネットワークアドレスを、制御回線２１を用いて、地球局３０１へ通知する。地球局３０１の地球局制御部３２は、管制局１から少なくとも自局のネットワークアドレスの通知を受ける。
【００２６】
実施の形態１に係るネットワークアドレス指定方法は、制御回線２１を用いて、地球局３０２から管制局１へ衛星通信システムへの第２の参入メッセージを送信する（第２の参入メッセージ送信ステップ）。詳しくは、地球局３０２の地球局制御部３２が、制御回線２１を用いて、管制局１へ衛星通信システムへの参入メッセージを送信する。第２の参入メッセージを受けて管制局１が管理する地球局３０２のネットワークアドレスを第２のネットワークアドレスとして、制御回線２１を用いて、管制局１から地球局３０２へ通知する（第２のネットワークアドレス通知ステップ）。第２のネットワークアドレスの通知は、管制局１から地球局３０２へ第２の参入応答メッセージとして「地球局３のネットワークアドレス」を送信することになる。詳しくは、管制局制御部１２が、制御回線２１を用いて、地球局３０２から送られた衛星通信システムへの参入メッセージを受けて、地球局３ごとにネットワークアドレス管理部１１に保持されているネットワークアドレスを、制御回線２１を用いて、地球局３０２へ通知する。地球局３０２の地球局制御部３２は、管制局１から少なくとも自局のネットワークアドレスの通知を受ける。
【００２７】
実施の形態１に係るネットワークアドレス指定方法では、第１のネットワークアドレス通知ステップ及び第２のネットワークアドレス通知ステップの少なくとも一方の後に、地球局３が通信回線２２を確立するステップ（通信回線確立ステップ）を含んでいてもよい。詳しくは、地球局３０１及び地球局３０２は、管制局１から通知されたネットワークアドレスをネットワークアドレス記憶部３１に記憶させて、通信回線確立ステップにてネットワークアドレスを使用することで、通信端末４０１，通信端末４０２がデータ通信を介することができる。これは、実施の形態２で説明する管制局１（ＨＵＢ局１）を介した通信も含んでいる。よって、実施の形態２に係る通信システム（通信方法）は、地球局３０１及び地球局３０２は、制御回線２１を経由した管制局１からの指示にて制御回線２１とは異なる通信回線２２を管制局１（ＨＵＢ局１）と確立し、通信回線２２上にてそれぞれ双方向データ通信を実現するといえる。
【００２８】
実施の形態１に係るネットワークアドレス指定方法をさらに具体的に図３を用いて説明する。図３では、地球局３が、地球局３０１及び地球局３０２の二施設が、管制局１と接続されてＩＰ通信を行なう場合の例である。図３に示すシーケンス例のように、予め、管制局１は、ＩＰ端末４（通信端末４）のネットワークアドレスをネットワークアドレス管理部１１に登録する。このような、管制局１が管理する地球局３それぞれのネットワークアドレスを、事前に管制局１へ登録するステップ（ネットワークアドレス登録ステップ）を、実施の形態１に係るネットワークアドレス指定方法に含めてもよい。ＩＰ端末４（通信端末４）は、衛星回線２２（通信回線２２）を使ってＩＰ通信を行う端末である。ネットワークアドレス管理部１１に登録するネットワークアドレスは、通信端末４０１，通信端末４０２だけでなく、通信端末４０３〜通信端末４０ｎのネットワークアドレスも登録しておいてよい。
【００２９】
図３に示すシーケンス例のように、地球局３０１，地球局３０２が衛星通信システムに参入する際には、地球局３０１，地球局３０２の地球局制御部３２は、それぞれ参入メッセージを管制局１へ送る。管制局１は、地球局３０１，地球局３０２から送られてきた参入メッセージを管制局制御部１２が受ける。管制局制御部１２は、参入応答メッセージを通知するために、ネットワークアドレス管理部１１に登録（保持）されたネットワークアドレスのうち、ネットワークアドレステーブル５０１，ネットワークアドレステーブル５０２を、それぞれの地球局制御部３２へ送信する。これは、管制局１が地球局３０１，地球局３０２に対してそれぞれが管理するネットワークアドレスを通知するといえる。地球局３０１の地球局制御部３２は、ネットワークアドレステーブル５０１を、地球局３０１のネットワークアドレス記憶部３１が記憶する。地球局３０２の地球局制御部３２は、ネットワークアドレステーブル５０２を、地球局３０２のネットワークアドレス記憶部３１が記憶する。これらをネットワークアドレス設定反映と呼ぶ。
【００３０】
ネットワークアドレス設定反映が完了し、地球局３０１と地球局３０２との間に通信回線が確立すると、地球局３０１と地球局３０２との地球局通信部３３は、管制局１から通知されたネットワークアドレスを用いて通信回線２２を確立してデータの送受信をすることができる。よって、通信端末４０１と通信端末４０２との間でＩＰ通信によるユーザデータ通信ができる。このような通信回線２２を確立してデータの送受信をするときは、ＩＰ通信の開始を契機に回線割当を要求するＤＡＭＡ方式のシステムを用いればよい（通信回線確立ステップ）。
【００３１】
衛星通信システムがＤＡＭＡ方式のシステムである場合の管制局１と地球局３の動作は次のとおりである。管制局１の管制局制御部１２は、制御回線２１を介して、地球局３（地球局制御部３２）から衛星通信システムの回線割当の要求を受けて、割り当てを行った通信回線２２を、制御回線２１を介して、地球局３へ通知する。地球局３の地球局制御部３２は、制御回線２１を介して、管制局１へ衛星通信システムの回線割当を要求し、制御回線２１を介して、管制局１（管制局制御部１２）から割り当てた通信回線２２の通知を受け、地球局通信部３３は、管制局１（管制局制御部１２）から割り当てられた通信回線２２によりデータの送受信をする。厳密には、この場合の管制局制御部１２は、ＤＡＭＡ制御部１３である。
【００３２】
図３に示すシーケンス例のように、ネットワークアドレスの通知を受けることで、地球局３０１及び地球局３０２は衛星回線２２（通信回線２２）へのゲートウェイとなることができる。地球局３０１内の通信端末４０１が地球局３０１に通知されたネットワーク（ネットワークアドレステーブル５０１に含まれるネットワーク）以外へのＩＰ通信を行う場合、ＩＰパケットはデフォルトゲートウェイとなる衛星ＧＷ３５へ送信され、衛星ＧＷ３５から衛星２を経由した通信回線２２へ送出される。逆に、衛星回線２２から受信したＩＰパケットは、衛星ＧＷ３５（地球局制御部３２）が管理するネットワークのアドレス宛（ネットワークアドレステーブル５０１に含まれるネットワークアドレス宛）であれば、自局内の当該ネットワークへ当てて送信され、ＩＰ端末４間の通信が成立する。
【００３３】
実施の形態１に係るネットワークアドレス指定方法、管制局及び地球局において、通信回線２２の確立後に、通信が不安定になるなどして通信回線２２を切断、又は管制局１との通信が不安定になった場合、管制局１側では、地球局３が離脱と判定されることがある。この場合は地球局３から再度参入メッセージを送信し、管制局１から再度ネットワークアドレスを送信することで、ネットワークアドレスを更新することができる。また、地球局３が一旦運用停止（本願では、通信が不通になったと称する）となったあと、再度参入する場合も同じ手順でネットワークアドレスを設定することができる。
【００３４】
このような場合の管制局１と地球局３の動作は次のとおりである。管制局１の管制局制御部１２は、地球局３へ割り当てた通信回線２２が、切断したとき又は通信が不安定・不通になったあと、制御回線２１を用いて、地球局３から送られた衛星通信システムへの再参入メッセージを受けて、地球局３ごとにネットワークアドレス管理部１１に記憶されているネットワークアドレスを、制御回線２１を用いて、再度、地球局３へ通知する。地球局３の地球局制御部３２は、管制局１（管制局制御部１２（ＤＡＭＡ制御部１３））から割り当てられた通信回線２２が、切断したとき又は通信が不安定・不通になったあと、制御回線２１を用いて、管制局１へ衛星通信システムへの再参入メッセージを送信し、再度、管制局１（管制局制御部１２）から少なくとも自局のネットワークアドレスの通知を受け、地球局通信部３３は、再度、管制局１（管制局制御部１２）から通知されたネットワークアドレスを用いて通信回線２２を確立してデータの送受信をする。
【００３５】
実施の形態１に係るネットワークアドレス指定方法の別の具体例に関して図４を用いて説明する。図４では、図３と同様に地球局３が、地球局３０１及び地球局３０２の二施設が、管制局１と接続されてＩＰ通信を行なう場合の例である。図３に示すシーケンス例では、地球局３０１へは自局のネットワークアドレスであるネットワークアドレステーブル５０１を通知し、地球局３０２へは自局のネットワークアドレスであるネットワークアドレステーブル５０２を通知していた。実施の形態１に係るネットワークアドレス指定方法は、地球局制御部３２が、自局以外の他の地球局３のネットワークアドレスの通知を受けるものとしてもよい。この場合、管制局制御部１２は、参入メッセージを送信した地球局３のネットワークアドレスと、参入メッセージを送信した地球局３以外の地球局３のネットワークアドレスとを、参入メッセージを送信した地球局３へ通知する。また、実施の形態１に係るネットワークアドレス指定方法は、地球局制御部３２が、自局以外の全ての他の地球局３のネットワークアドレスの通知を受けるものとしてもよい。この場合、管制局制御部１２は、全ての地球局３のネットワークアドレスを、参入メッセージを送信した地球局３へ通知する。このような図４に示すシーケンス例は、全ての地球局３のネットワークアドレスについて設定反映するものであることから、メッシュ型通信に好適である。
【００３６】
図４に示すシーケンス例は、地球局制御部３２が、自局以外の全ての他の地球局３のネットワークアドレスの通知を受けるものである。図３に示すシーケンス例との違いを中心に説明を行なう。ネットワークアドレス管理部１１に登録するネットワークアドレスは、通信端末４０１〜通信端末４０ｎの全てのネットワークアドレスである。図４に示すシーケンス例のように、地球局３０１，地球局３０２が衛星通信システムに参入する際には、地球局３０１，地球局３０２の地球局制御部３２は、それぞれ参入メッセージを管制局１へ送る。管制局１は、地球局３０１，地球局３０２から送られてきた参入メッセージを管制局制御部１２が受ける。
【００３７】
図４に示すシーケンス例のように、管制局制御部１２は、参入応答メッセージを通知するために、ネットワークアドレス管理部１１に登録（保持）されたネットワークアドレスを、それぞれの地球局制御部３２へ送信する。これは、管制局１が地球局３０１，地球局３０２に対してそれぞれが管理するネットワークアドレスに加え、地球局３０３〜地球局３０ｎが管理するネットワークアドレスも通知するといえる。つまり、全ての地球局３のネットワークアドレスを通知するといえる。地球局３０１の地球局制御部３２は、ネットワークアドレスを、地球局３０１のネットワークアドレス記憶部３１が記憶する。地球局３０２の地球局制御部３２は、ネットワークアドレスを、地球局３０２のネットワークアドレス記憶部３１が記憶する。これらをネットワークアドレス設定反映と呼ぶ。
【００３８】
図４に示すシーケンス例のように、ネットワークアドレス設定反映が完了すると、地球局３０１と地球局３０２との地球局通信部３３は、管制局１から通知されたネットワークアドレスを用いて通信回線２２を確立してデータの送受信をすることができる。よって、通信端末４間でＩＰ通信によるユーザデータ通信ができる。このような通信回線２２を確立してデータの送受信をするとき、ＩＰ通信の開始を契機に回線割当を要求するＤＡＭＡ方式のシステムである場合の一例は、次のような回線割当の手順及び通信回線の確立の手順（通信回線確立ステップ）となる。
【００３９】
ネットワークアドレステーブル５０１からネットワークアドレステーブル５０ｎが配布される場合、図４に示すシーケンス例のように、地球局３０１では、管制局１から通知されたネットワークアドレスに基づいて、ＩＰ通信が自局宛か、他の地球局３宛かの判定を行う（宛先ＩＰアドレスの判定）。管制局１から通知されたネットワークアドレスからどの地球局３宛の通信であるかが判明すれば、その地球局３宛の通信回線２２の割り当てを、制御回線２１を介して、地球局制御部３２からＤＡＭＡ制御部１３へ要求する。ＤＡＭＡ制御部１３は、制御回線２１を介して、割り当てた通信回線２２を地球局制御部３２へ通知する。地球局通信部３３は、割当てられた衛星回線を用いて、ＩＰ通信を実施する。別のＩＰ通信が発生した場合、通信回線２２が既に割り当てられているか、未割当かを判定し、割り当て済みであれば、割り当て済みの通信回線２２を使ってＩＰ通信を実施する。未割当であれば、前述のとおり通信回線２２を要求して、割り当てを受ける。
【００４０】
図４に示すシーケンス例のように、ネットワークアドレスの通知を受けることで、地球局３０１及び地球局３０２は衛星回線２２（通信回線２２）へのゲートウェイとなることができる。地球局３０１と地球局３０２とが接続された際、地球局３０２宛の通信回線２２に宛てて、地球局３０２内のネットワークアドレス（ネットワークアドレステーブル５０２）に宛てたＩＰパケットを地球局３０１から送出する。また、衛星回線２２から受信したＩＰパケットは、衛星ＧＷ３５（地球局制御部３２）が管理するネットワークのアドレス宛（ネットワークアドレステーブル５０１に含まれるネットワークアドレス宛）であれば、自局内の当該ネットワークへ当てて送信され、ＩＰ端末４間の通信が成立する。
【００４１】
よって、実施の形態１に係るネットワークアドレス指定方法は、第１のネットワークアドレス通知ステップが、全ての地球局３のネットワークアドレステーブル５を地球局３０１へ通知する場合を含む。同じく、第２のネットワークアドレス通知ステップが、全ての地球局３のネットワークアドレス５を地球局３０２へ通知する場合を含む。また、実施の形態１に係るネットワークアドレス指定方法は、第１のネットワークアドレス通知ステップが、ネットワークアドレステーブル５０１に加えて、少なくともネットワークアドレステーブル５０２を地球局３０１へ通知する場合を含む。同じく、第２のネットワークアドレス通知ステップが、ネットワークアドレステーブル５０２に加えて、少なくともネットワークアドレステーブル５０１を地球局３０２へ通知する場合を含む。よって、通信回線確立ステップにて、地球局３０１と地球局３０２との間で通信回線２２を確立するものである。
【００４２】
このように実施の形態１に係るネットワークアドレス指定方法、管制局及び地球局は、地球局３（子局３）内のネットワークアドレス側を変更するものである。つまり、通信端末４側のＩＰアドレスの変更が必須ではなくなる。よって、地球局３（子局３）内のネットワークアドレスを固定設定にした場合と比較すると、通信端末４が、そのネットワークに合わせてＩＰアドレスを変更する必要がないという利点がある。換言すると、ＩＰルーティングを行うＤＡＭＡ方式のシステムにおいて、ＩＰアドレスが変更できない端末に対応することができるといえる。
【００４３】
また、実施の形態１に係るネットワークアドレス指定方法、管制局及び地球局は、局ごとに作業が必要であったネットワークアドレスの設定変更を管制局１が主体となって行うことができる。よって、地球局３（子局３）内のネットワークアドレスを遠隔で管理する手段（管制局１）により、各地に分散する衛星通信局のネットワークを一元管理又は集中的に管理することが可能となる。局ごとに作業が必要であったネットワークアドレスの設定変更が不要となるため、衛星通信システムの地上網側の都合によるネットワークの組み換えが容易となるという利点がある。
【００４４】
実施の形態１に係る通信システムは、実施の形態１に係る管制局及び地球局を用いた通信システムを意味している。特に、ＤＡＭＡ方式のシステムに好適である。実施の形態１に係る通信方法は、実施の形態１に係るネットワークアドレス指定方法を用いた通信方法を意味している。特に、ＤＡＭＡ方式のシステムに好適である。詳しくは、実施の形態１に係るネットワークアドレス指定方法によって、ネットワークアドレスを指定された地球局による通信方法である。
【００４５】
実施の形態２．
以下、この発明の実施の形態２に係る通信システム、通信方法、ネットワークアドレス指定方法、管制局及び地球局について図５及び図６を用いて説明する。図中、同一符号は、同一又は相当部分を示しそれらについての詳細な説明は省略する。実施の形態１と共通する部分の説明は省略する場合がある。実施の形態２と実施の形態１との違いは、実施の形態２に係る管制局が、ＨＵＢ局１としても機能する点である。つまり、実施の形態２に係るネットワークアドレス指定方法は、通信回線確立ステップが、管制局１をＨＵＢ局１をとして、地球局３との間で通信回線を確立するものである。ＨＵＢ局１を介して、地球局３０１と地球局３０２との間で通信回線を確立してもよい。なお、ＨＵＢ局１を管制局１の外部に設けてもよい。
【００４６】
図５及び図６において、管制局１は、ネットワークアドレス管理部１１，管制局制御部１２，ＤＡＭＡ制御部１３，制御回線用モデム１４，管制局通信部１５（親局通信部１５，通信部１５），通信用モデム１６，衛星ＧＷ１７，通信端末４１０を有している。通信端末４１０は、管制局１の外部に設けてもよい。管制局１，地球局３０１（子局３０１），地球局３０２（子局３０２），通信端末４０１（ＩＰ端末４０１），通信端末４０２（ＩＰ端末４０２），通信端末４１０（ＩＰ端末４１０）は、衛星２を介したＩＰプロトコルベースのＤＡＭＡ方式の衛星通信システムを構築するものである。なお、通信端末４１０（ＩＰ端末４１０）は、通信端末４（ＩＰ端末４）と同様の構成でよい。地球局３は、制御回線２１を経由した管制局１からの指示にて通信回線２２を確立し、ＨＵＢ局１を介して通信回線２２上にて双方向データ通信を実現するものである。
【００４７】
図５において、ネットワークアドレス管理部１１は、ＨＵＢ局１（管制局通信部１５）におけるネットワークアドレス記憶部３１として機能させてもよい。管制局通信部１５（親局通信部１５，通信部１５）は、ネットワークアドレスを通知した地球局３が通信回線２２で送受信をするデータのルーティングを行うものである。管制局制御部１２（親局制御部１２，制御部１２）に加え、管制局通信部１５（親局通信部１５，通信部１５）は、衛星２への送受信設備ともいえる。管制局通信部１５（親局通信部１５，通信部１５）のみを送受信設備としてもよい。衛星２への送受信設備は、管制局アンテナ部や管制局アンテナ部を駆動する管制局アンテナ駆動部を含めてもよいし、管制局アンテナ部及び管制局アンテナ駆動部を送受信設備としてもよい。
【００４８】
図５において、通信用モデム１６（管制局通信用モデム１６，親局通信用モデム１６）は、管制局アンテナ部に接続され、地球局３との間でデータ送受信を行うものである。衛星ＧＷ１７（地球局衛星ＧＷ１７，子局衛星ＧＷ１７）は、通信回線２２（衛星回線２２）へのゲートウェイとして機能するものである。通信端末４１０は、衛星ＧＷ１７に接続され、通信回線２２を使ったＩＰ通信が可能な端末である。通信端末４１０が、通信回線２２を使ったＩＰ通信を行う場合、衛星ＧＷ１７が通信端末４のゲートウェイとなり、管制局通信部１５（親局通信部１５，通信部１５）を介して衛星通信の対向局（他の地球局３、又は、管制局１）へＩＰデータを送信する。通信端末４１０（ＩＰ端末４１０）は、ＨＵＢ局１に少なくとも一台設けられている。図５では、通信端末４１０は、一台の場合を例示的に図示している。
【００４９】
図５において、通信回線２２（衛星回線２２）は、便宜上、通信回線２２１（衛星回線２２１）と通信回線２２２（衛星回線２２２）とに分けて図示している。通信回線２２１は、矢印付きの点線で仮想的に示しており、ＨＵＢ局１と地球局３０１との間に確立した通信回線２２を意味している。通信回線２２２は、矢印付きの破線で仮想的に示しており、ＨＵＢ局１と地球局３０２との間に確立した通信回線２２を意味している。よって、地球局３０１及び地球局３０２の間でＩＰデータ通信を行う場合は、通信回線２２１と通信回線２２２との２つの通信回線２２を介して通信を行うことになる。
【００５０】
図６に示すシーケンス例は、地球局制御部３２が、自局以外の全ての他の地球局３のネットワークアドレスの通知を受けるものである。実施の形態１の説明でした図３又は図４に示すシーケンス例との違いを中心に説明を行なう。ネットワークアドレス管理部１１に登録するネットワークアドレスは、通信端末４１０，通信端末４０１，通信端末４０２だけでなく、通信端末４０３〜通信端末４０ｎのネットワークアドレスも登録しておいてよい。図６に示すシーケンス例のように、地球局３０１，地球局３０２が衛星通信システムに参入する際には、地球局３０１，地球局３０２の地球局制御部３２は、それぞれ参入メッセージを管制局１へ送る。管制局１は、地球局３０１，地球局３０２から送られてきた参入メッセージを管制局制御部１２が受ける。管制局制御部１２は、参入応答メッセージを通知するために、ネットワークアドレス管理部１１に登録（保持）されたネットワークアドレスのうち、ネットワークアドレステーブル５０１，ネットワークアドレステーブル５０２を、それぞれの地球局制御部３２へ送信する。地球局３０１及び地球局３０２は、それぞれネットワークアドレス設定反映と呼ぶ。
【００５１】
図６に示すシーケンス例のように、ネットワークアドレス設定反映が完了し、ＨＵＢ局１と地球局３０１との間に通信回線が確立する。つまり、ＨＵＢ局１の通信部１５と地球局３０１の通信部３３は、ＨＵＢ局１（管制局１）から通知されたネットワークアドレスを用いて通信回線２２１を確立してデータの送受信をすることができる。同じく、ネットワークアドレス設定反映が完了し、ＨＵＢ局１と地球局３０２との間に通信回線が確立する。つまり、ＨＵＢ局１の通信部１５と地球局３０２の通信部３３は、ＨＵＢ局１（管制局１）から通知されたネットワークアドレスを用いて通信回線２２２を確立してデータの送受信をすることができる。また、地球局３０１と地球局３０２とは、ＨＵＢ局１を介して、通信回線２２１及び通信回線２２２（通信回線２２）を確立してデータの送受信をすることができる。よって、通信端末４０１と通信端末４０２との間でＩＰ通信によるユーザデータ通信ができる。ネットワークアドレスの通知を受けることで、地球局３０１及び地球局３０２は衛星回線２２（通信回線２２）へのゲートウェイとなることができる。
【００５２】
図６に示すシーケンス例のように、このような通信回線２２を確立してデータの送受信をするとき、ＩＰ通信の開始を契機に回線割当を要求するＤＡＭＡ方式のシステムである場合の一例は、次のような回線割当の手順及び通信回線の確立の手順（通信回線確立ステップ）となる。地球局３０１及び地球局３０２では、管制局１から通知されたネットワークアドレスに基づいて、ＨＵＢ局１宛の通信回線２２を、それぞれ、制御回線２１を介して、地球局制御部３２からＤＡＭＡ制御部１３へ要求する。ＤＡＭＡ制御部１３は、制御回線２１を介して、割り当てた通信回線２２を地球局３０１及び地球局３０２それぞれの地球局制御部３２へ通知する。通信回線２２を地球局３０１及び地球局３０２それぞれの地球局通信部３３は、割当てられた衛星回線を用いて、ＩＰ通信を実施する。別のＩＰ通信が発生した場合、通信回線２２が既に割り当てられているか、未割当かを判定し、割り当て済みであれば、割り当て済みの通信回線２２を使ってＩＰ通信を実施する。未割当であれば、前述のとおり通信回線２２を要求して、割り当てを受ける。
【００５３】
地球局３０１内の通信端末４０１が地球局３０１に通知されたネットワーク（ネットワークアドレステーブル５０１に含まれるネットワーク）以外へのＩＰ通信を行う場合、ＩＰパケットはデフォルトゲートウェイとなる衛星ＧＷ３５へ送信され、衛星ＧＷ３５から衛星２を経由した通信回線２２１へ送出される。一旦、ＨＵＢ局１へ送信されたＩＰパケットは、ＨＵＢ局１内でルーティングを判断し、ＨＵＢ局１内のネットワークへルーティングされるか、地球局３０１以外の別の地球局３へ再度送信されるかが判定され、ＩＰ端末４間の通信が成立する。つまり、地球局通信部３３は、ＨＵＢ局１を介して、他の地球局３とデータの送受信をすることができる。なお、図６のシーケンス例の下部は、地球局３０２宛にルーティングされる例を示している。
【００５４】
このように、実施の形態２に係るネットワークアドレス指定方法、管制局及び地球局は、地球局３の通信システムへの参入時、それぞれ自局のネットワークアドレス通知は必要だが、他の局のネットワークアドレス通知は不要となる。各地球局３は、自局ネットワーク以外のデフォルトゲートウェイとして衛星回線２２を定義することができるため、ＨＵＢ局１にてルーティングを判断することができる。実施の形態２に係る通信システムは、実施の形態２に係る管制局及び地球局を用いた通信システムを意味している。特に、ＤＡＭＡ方式のシステムに好適である。実施の形態２に係る通信方法は、実施の形態２に係るネットワークアドレス指定方法を用いた通信方法を意味している。特に、ＤＡＭＡ方式のシステムに好適である。詳しくは、実施の形態２に係るネットワークアドレス指定方法によって、ネットワークアドレスを指定された地球局による通信方法である。
【００５５】
実施の形態３．
以下、この発明の実施の形態３に係る通信システム、通信方法、ネットワークアドレス指定方法、管制局及び地球局について図１から図８を用いて説明する。図中、同一符号は、同一又は相当部分を示しそれらについての詳細な説明は省略する。実施の形態１及び２と共通する部分の説明は省略する（図１から図６）。実施の形態３に係るネットワークアドレス指定方法は、ネットワークアドレス更新ステップをさらに備えている。ネットワークアドレス更新ステップは、第１のネットワークアドレス通知ステップの後に地球局３０１へ通知したネットワークアドレスが更新されたときに、少なくとも更新された部分を、地球局３０１へ通知するものである。同じく、第２のネットワークアドレス通知ステップの後に地球局３０２へ通知したネットワークアドレスが更新されたときに、少なくとも更新された部分を、地球局３０２へ通知するものである。
【００５６】
つまり、実施の形態３に係るネットワークアドレス指定方法と実施の形態１及び実施の形態２に係るネットワークアドレス指定方法との違いは、ネットワークの変更を行う場合の動作を有している点である。実施の形態３では、管制局１にて登録した地球局３０１及び地球局３０２のネットワークアドレスを変更、削除することができる。このような処理は、例えば、図７に示す通信システムの機能ブロック図のように、地球局３０ｎ（子局３０ｎ）が新たに衛星通信システムへの参入しようしている場合、かつ、地球局３０ｎ用のネットワークアドレステーブル５が予め準備していない場合に必要となる。なお、図７に示す通信システムの機能ブロック図は、地球局３の増設時ともいえる。また、図８に示す通信システムの機能ブロック図のように、通信端末４０１の接続先が、地球局３０１（子局３０１）から地球局３０２（子局３０２）に変わったときに必要となる。ネットワークアドレステーブル５からネットワークアドレスを変更、削除する場合の処理は、次の三つが代表的である。
【００５７】
管制局１より、地球局３０１及び地球局３０２へのネットワークアドレスの更新を通知し、地球局３０１及び地球局３０２は、通信中であるかどうかに関わらず、管制局１から通知されるネットワークアドレスを即時適用する。すなわち、追加されたネットワークアドレスについてはルーティングを追加し、削除されたネットワークアドレスについてはルーティングを停止する。この場合、実施の形態３に係る管制局は、管制局制御部１２が、地球局３へ通知したネットワークアドレスが更新されたときに、少なくとも更新された部分を、地球局３へ通知する。実施の形態３に係る地球局は、地球局通信部３３が、ネットワークアドレス記憶部３１に記憶されたネットワークアドレスが更新されたとき、追加されたネットワークアドレスのルーティングを追加し、削除されたネットワークアドレスのルーティングを停止する。
【００５８】
地球局３のうち通信が完了したものから、ネットワークアドレスを管制局１より通知する。通信中はルーティングが有効であるが、ルーティングの変更は次回の回線割当から有効となる。この場合、実施の形態３に係る管制局は、管制局制御部１２が、地球局３へ通知したネットワークアドレスが更新されたときに、少なくとも更新された部分を、地球局３のうち、通信回線２２によるデータの送受信を行っているもの以外へ、通知する。
【００５９】
管制局１がネットワークアドレスを変更するため、一旦全ての通信を停止し、ネットワークアドレスの配信を再度行う。例えば、管制局１からの制御回線２１にて一旦停止、再開することにより、衛星通信の停止、再開を示す。この場合、実施の形態３に係る管制局は、管制局制御部１２が、地球局３へ通知したネットワークアドレスが更新されたときに、少なくとも更新された部分を、通信回線２２によるデータの送受信を行っている地球局３にデータの送受信を停止させてから、通知する。実施の形態３に係る地球局は、地球局通信部３３が、ネットワークアドレス記憶部３１に記憶されたネットワークアドレスが更新されたとき、追加されたネットワークアドレスのルーティングを追加する。
【００６０】
実施の形態３に係る通信システムは、実施の形態３に係る管制局及び地球局を用いた通信システムを意味している。特に、ＤＡＭＡ方式のシステムに好適である。実施の形態３に係る通信方法は、実施の形態３に係るネットワークアドレス指定方法を用いた通信方法を意味している。特に、ＤＡＭＡ方式のシステムに好適である。詳しくは、実施の形態３に係るネットワークアドレス指定方法によって、ネットワークアドレスを指定された地球局による通信方法である。
【００６１】
よって、本願は、衛星２を介した通信回線２２でルーティングを行なう衛星通信システムにおいて、管制局１側でネットワークアドレスを管理することができるネットワークアドレス指定方法、管制局及び地球局を得るものである。通信を行う地球局３ごとに異なるネットワークアドレスを付与し、各地球局３間でＩＰルーティングを行うシステムにおいて、衛星回線２２を介して各地球局３の衛星通信設備のＩＰアドレス、ネットワーク設定・変更を行うことができる。
【００６２】
詳しくは、衛星２を介した通信回線２２でルーティングを行なう衛星通信システムにおいて、地球局３が衛星通信システムへ参入する際に、管制局１が管理する地球局３のネットワークアドレスを、衛星２を介した制御回線２１を用いて、管制局１から地球局３へ通知する。その後に、地球局３が衛星２を介した通信回線２２を確立する。地球局３がＤＡＭＡ方式のシステムに参入する際に、ネットワークを設定する方式とし、通信する各地球局３での変更が不要とできる。
今回開示された実施の形態はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【符号の説明】
【００６３】
１・・管制局（親局、ＨＵＢ局）、１１・・ネットワークアドレス管理部（ＮＷアドレス管理部１１，ネットワークアドレス管理装置，ＮＷアドレス管理装置）、１２・・管制局制御部（親局制御部，制御部，管制局制御装置，制御装置）、１３・・ＤＡＭＡ制御部（ＤＡＭＡ制御装置）、１４・・制御回線用モデム、１５・・管制局通信部（親局通信部，通信部，管制局通信装置，親局通信装置、通信装置）、１６・・通信用モデム（管制局通信用モデム，親局通信用モデム）、１７・・衛星ＧＷ（管制局衛星ＧＷ，親局衛星ＧＷ）、２・・衛星（衛星局）、２１・・制御回線（ＣＳＣ回線）、２２・・通信回線（衛星回線）、２２１・・通信回線（衛星回線）、２２２・・通信回線（衛星回線）、３・・地球局（子局）、３０１〜３０ｎ・・地球局（子局）、３１・・ネットワークアドレス記憶部（ＮＷアドレス記憶部，ネットワークアドレス記憶装置，ＮＷアドレス記憶装置）、３２・・地球局制御部（子局制御部、制御部，地球局制御装置，子局制御装置、制御装置）、３３・・地球局通信部（子局通信部，通信部，地球局通信装置，子局通信装置，通信装置）、３４・・通信用モデム（地球局通信用モデム，子局通信用モデム）、３５・・衛星ＧＷ（地球局衛星ＧＷ，子局衛星ＧＷ）、４・・通信端末（ＩＰ端末）、４０１・・通信端末（ＩＰ端末）、４０２・・通信端末（ＩＰ端末）、４１０・・通信端末（ＩＰ端末）、５・・ネットワークアドレステーブル（ＮＷアドレステーブル）。
【図１】
2019171825.tif 000003
【図２】
2019171825.tif 000004
【図３】
2019171825.tif 000005
【図４】
2019171825.tif 000006
【図５】
2019171825.tif 000007
【図６】
2019171825.tif 000008
【図７】
2019171825.tif 000009
【図８】
2019171825.tif 000010
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
衛星を介した通信回線で地球局の間のルーティングを行なう衛星通信システムにおける、前記地球局のネットワークアドレスを管理する管制局を用いたネットワークアドレス指定方法であって、
前記衛星を介した制御回線を用いて、一の前記地球局から前記管制局へ前記衛星通信システムへの第１の参入メッセージを送信する第１の参入メッセージ送信ステップと、
前記第１の参入メッセージを受けて前記管制局が管理する一の前記地球局のネットワークアドレスを第１のネットワークアドレスとして、前記制御回線を用いて、前記管制局から一の前記地球局へ通知する第１のネットワークアドレス通知ステップと、
前記制御回線を用いて、二の前記地球局から前記管制局へ前記衛星通信システムへの第２の参入メッセージを送信する第２の参入メッセージ送信ステップと、
前記第２の参入メッセージを受けて前記管制局が管理する二の前記地球局のネットワークアドレスを第２のネットワークアドレスとして、前記制御回線を用いて、前記管制局から二の前記地球局へ通知する第２のネットワークアドレス通知ステップと、
前記第１のネットワークアドレス通知ステップ及び前記第２のネットワークアドレス通知ステップの少なくとも一方の後に、前記地球局が前記通信回線を確立する通信回線確立ステップとを備え、
前記第１のネットワークアドレス通知ステップは、前記第１のネットワークアドレスに加えて、少なくとも前記第２のネットワークアドレスを一の前記地球局へ通知し、
前記第２のネットワークアドレス通知ステップは、前記第２のネットワークアドレスに加えて、少なくとも前記第１のネットワークアドレスを二の前記地球局へ通知し、
前記通信回線確立ステップは、一の前記地球局と二の前記地球局との間で通信回線を確立するものであることを特徴とする、ネットワークアドレス指定方法。
【請求項２】
前記第１のネットワークアドレス通知ステップは、全ての前記地球局のネットワークアドレスを一の前記地球局へ通知するものであることを特徴とする、請求項１に記載のネットワークアドレス指定方法。
【請求項３】
前記第２のネットワークアドレス通知ステップは、全ての前記地球局のネットワークアドレスを二の前記地球局へ通知するものであることを特徴とする、請求項１又は請求項２に記載のネットワークアドレス指定方法。
【請求項４】
前記第１のネットワークアドレス通知ステップ及び前記第２のネットワークアドレス通知ステップの少なくとも一方の後に、前記地球局が前記通信回線を確立する通信回線確立ステップをさらに備え、
前記通信回線確立ステップは、前記管制局をＨＵＢ局をとして、一の前記地球局と二の前記地球局との間で通信回線を確立するものであることを特徴とする、請求項１に記載のネットワークアドレス指定方法。
【請求項５】
ネットワークアドレス更新ステップをさらに備え、
前記ネットワークアドレス更新ステップは、前記第１のネットワークアドレス通知ステップの後に一の前記地球局へ通知したネットワークアドレスが更新されたときに、少なくとも更新された部分を、一の前記地球局へ通知することを特徴とする、請求項１から請求項４のいずれか１項に記載のネットワークアドレス指定方法。
【請求項６】
ネットワークアドレス更新ステップをさらに備え、
前記ネットワークアドレス更新ステップは、前記第２のネットワークアドレス通知ステップの後に二の前記地球局へ通知したネットワークアドレスが更新されたときに、少なくとも更新された部分を、二の前記地球局へ通知することを特徴とする、請求項１から請求項４のいずれか１項に記載のネットワークアドレス指定方法。
【請求項７】
ネットワークアドレスの通知を受けた後に、衛星を介した通信回線で地球局の間のルーティングを行なう衛星通信システムにおける、前記地球局のネットワークアドレスを管理する管制局であって、
前記地球局ごとのネットワークアドレスを保持したネットワークアドレス管理部と、
前記衛星を介した制御回線を用いて、前記地球局から送られた前記衛星通信システムへの参入メッセージを受けて、前記地球局ごとに前記ネットワークアドレス管理部に記憶されているネットワークアドレスを、前記制御回線を用いて、前記地球局へ通知する管制局制御部とを備え、
前記管制局制御部は、前記参入メッセージを送信した前記地球局のネットワークアドレスと、前記参入メッセージを送信した前記地球局以外の前記地球局のネットワークアドレスとを、前記参入メッセージを送信した前記地球局へ通知することを特徴とする、管制局。
【請求項８】
前記管制局制御部は、全ての前記地球局のネットワークアドレスを、前記参入メッセージを送信した前記地球局へ通知することを特徴とする、請求項７に記載の管制局。
【請求項９】
前記管制局制御部は、前記地球局へ通知したネットワークアドレスが更新されたときに、少なくとも更新された部分を、前記地球局へ通知することを特徴とする請求項７または請求項８に記載の管制局。
【請求項１０】
前記管制局制御部は、前記地球局へ通知したネットワークアドレスが更新されたときに、少なくとも更新された部分を、前記地球局のうち、前記通信回線によるデータの送受信を行っているもの以外へ、通知することを特徴とすることを特徴とする、請求項７または請求項８に記載の管制局。
【請求項１１】
前記管制局制御部は、前記地球局へ通知したネットワークアドレスが更新されたときに、少なくとも更新された部分を、前記通信回線によるデータの送受信を行っている前記地球局にデータの送受信を停止させてから、通知することを特徴とする、請求項７または請求項８に記載の管制局。
【請求項１２】
管制局通信部をさらに備え、前記管制局通信部は、ネットワークアドレスを通知した前記地球局が前記通信回線で送受信をするデータのルーティングを行うことを特徴とする請求項７に記載の管制局。
【請求項１３】
前記衛星通信システムがＤＡＭＡ方式のシステムであって、
前記管制局制御部は、前記制御回線を介して、前記地球局から前記衛星通信システムの回線割当の要求を受けて、割り当てを行った前記通信回線を、前記制御回線を介して、前記地球局へ通知することを特徴とする、請求項１２に記載の管制局。
【請求項１４】
前記管制局制御部は、前記地球局へ割り当てた前記通信回線が切断したとき又は当該通信回線による通信が不安定あるいは不通になったあと、前記制御回線を用いて、前記地球局から送られた前記衛星通信システムへの再参入メッセージを受けて、前記地球局ごとに前記ネットワークアドレス管理部に記憶されているネットワークアドレスを、前記制御回線を用いて、再度、前記地球局へ通知することを特徴とする、請求項１３に記載の管制局。
【請求項１５】
衛星を介した通信回線でルーティングを行なう衛星通信システムにおける地球局であって、管制局から通知されたネットワークアドレスを記憶するネットワークアドレス記憶部と、
前記衛星を介した制御回線を用いて、前記管制局へ前記衛星通信システムへの参入メッセージを送信し、前記管制局から少なくとも自局のネットワークアドレスの通知を受ける地球局制御部と、
前記管制局から通知されたネットワークアドレスを保持するネットワークアドレス記憶部と、前記管制局から通知されたネットワークアドレスを用いて前記通信回線を確立してデータの送受信をする地球局通信部とを備え、
前記地球局制御部は、自局以外の他の地球局のネットワークアドレスの通知を受けることを特徴とする、地球局。
【請求項１６】
前記地球局制御部は、自局以外の全ての他の地球局のネットワークアドレスの通知を受けることを特徴とする、請求項１５に記載の地球局。
【請求項１７】
前記地球局通信部は、前記管制局であるＨＵＢ局を介して、他の地球局とデータの送受信をすることを特徴とする、請求項１５に記載の地球局。
【請求項１８】
前記地球局通信部は、前記ネットワークアドレス記憶部に記憶されたネットワークアドレスが更新されたとき、追加されたネットワークアドレスのルーティングを追加し、削除されたネットワークアドレスのルーティングを停止することを特徴とする、請求項１５から請求項１７のいずれか１項に記載の地球局。
【請求項１９】
前記衛星通信システムがＤＡＭＡ方式のシステムであって、
前記地球局制御部は、前記制御回線を介して、前記管制局へ前記衛星通信システムの回線割当を要求し、前記制御回線を介して、前記管制局から割り当てた前記通信回線の通知を受け、前記地球局通信部は、前記管制局から割り当てられた前記通信回線によりデータの送受信をすることを特徴とする、請求項１５から請求項１８のいずれか１項に記載の地球局。
【請求項２０】
前記地球局制御部は、前記管制局から割り当てられた前記通信回線が切断したとき又は当該通信回線による通信が不安定あるいは不通になったあと、前記制御回線を用いて、前記管制局へ前記衛星通信システムへの再参入メッセージを送信し、再度、前記管制局から少なくとも自局のネットワークアドレスの通知を受け、前記地球局通信部は、再度、前記管制局から通知されたネットワークアドレスを用いて前記通信回線を確立してデータの送受信をすることを特徴とする、請求項１９に記載の地球局。
【国際調査報告】
2019171825.tif 000011
2019171825.tif 000012
2019171825.tif 000013
2019171825.tif 000014